(57)【要約】【課題】文字、記号又は図形を認識させつつも、衣類としてのデザイン性を確保できる吸収性物品を提供する。【解決手段】吸収性物品（１０）は、前後方向（Ｌ）と、前後方向に直交する幅方向（Ｗ）と、厚み方向と、前胴周り域（Ｓ１）と、後胴周り域（Ｓ３）と、前胴周り域と後胴周り域とに跨がる吸収体（４０）と、前胴周り域と後胴周り域とを止着するファスニングテープ（９０）と、を有する。肌面側から見て谷折りされた谷折り部（ＦＬ１）が、幅方向における吸収体の外側縁よりも外側に設けられている。吸収性物品の展開状態において、吸収性物品の肌面側に文字、記号又は図形が施されている。文字、記号又は図形（８０）は、谷折り部によって折り畳まれた状態で、吸収性物品の内部側に隠れる領域に設けられている。【選択図】図１
2019068905.tif 000002
【特許請求の範囲】
【請求項１】
前後方向と、
前記前後方向に直交する幅方向と、
厚み方向と、
前胴周り域と、
後胴周り域と、
前記前胴周り域と前記後胴周り域とに跨がる吸収体と、
前記前胴周り域と前記後胴周り域とを止着するファスニングテープと、を有する吸収性物品であって、
肌面側から見て谷折りされた谷折り部が、前記幅方向における前記吸収体の外側縁よりも外側に設けられており、
前記吸収性物品の展開状態において、前記吸収性物品の肌面側に文字、記号又は図形が施されており、
前記文字、記号又は図形は、前記谷折り部によって折り畳まれた状態で、前記吸収性物品の内部側に隠れる領域に設けられている、吸収性物品。
【請求項２】
前記谷折り部は、前記ファスニングテープを通っている、請求項１に記載の吸収性物品。
【請求項３】
前記ファスニングテープは、前記谷折り部によって折り畳まれており、
前記文字、記号又は図形は、前記ファスニングテープに設けられている、請求項２に記載の吸収性物品。
【請求項４】
前記前胴周り域又は前記後胴周り域は、前記谷折り部によって折り畳まれた状態の前記ファスニングテープの少なくとも一部を収容するシート部材を有し、
前記ファスニングテープが前記谷折り部によって折り畳まれた状態で、前記ファスニングテープの、前記文字、記号又は図形が施された領域は、前記シート部材によって覆われている、請求項３に記載の吸収性物品。
【請求項５】
前記ファスニングテープは、肌面側から見て山折りにされた山折り部をさらに有し、
前記山折り部は、前記谷折り部から前記幅方向にずれて設けられており、
前記ファスニングテープが前記谷折り部と前記山折り部とで折り畳まれた状態で、前記ファスニングテープの自由端部は前記幅方向の外側に向かって延びている、請求項３又は４に記載の吸収性物品。
【請求項６】
前記ファスニングテープを展開した状態で、前記谷折り部は、前記幅方向において前記山折り部よりも外側に設けられている、請求項５に記載の吸収性物品。
【請求項７】
前記ファスニングテープは、基材と、前記基材上に設けられたフック材と、を有し、
前記文字、記号又は図形は、前記基材と前記フック材との間に設けられている、請求項３から６のいずれか１項に記載の吸収性物品。
【請求項８】
前記吸収性物品は、一対の前記ファスニングテープを有し、
一方の前記ファスニングテープに設けられた前記文字、記号又は図形は、他方の前記ファスニングテープに設けられた前記文字、記号又は図形とは異なる、請求項３から７のいずれか１項に記載の吸収性物品。
【請求項９】
前記文字、記号又は図形の少なくとも一部は、前記谷折り部よりも前記幅方向における外側に位置する、請求項１から８のいずれか１項に記載の吸収性物品。
【請求項１０】
前記文字、記号又は図形は、前記谷折り部を挟んで両側に設けられている、請求項１から９のいずれか１項に記載の吸収性物品。
【請求項１１】
前記幅方向の外側における前記文字、記号又は図形の縁から前記谷折り部までの距離は、前記幅方向の内側における前記文字、記号又は図形の縁から前記谷折り部までの距離よりも長い、請求項１０に記載の吸収性物品。
【請求項１２】
前記幅方向の外側における前記文字、記号又は図形の縁から前記谷折り部までの距離は、前記幅方向の内側における前記文字、記号又は図形の縁から前記谷折り部までの距離よりも短い、請求項１０に記載の吸収性物品。
【請求項１３】
前記文字、記号又は図形は、前記吸収性物品の装着動作を行う補助者に行動的作用又は心理的作用を促す表示によって構成されている、請求項１から１２のいずれか１項に記載の吸収性物品。
【請求項１４】
複数の吸収性物品と、前記複数の吸収性物品を収容するパッケージと、を含む吸収性物品の収容体であって、
前記パッケージ内に収容された複数の吸収性物品のうちの一部の吸収性物品のみが、請求項１から１３のいずれか１項に記載された吸収性物品である、吸収性物品の収容体。
【発明の詳細な説明】
【技術分野】
【０００１】
本発明は、前胴周り域と後胴周り域とを止着するファスニングテープを備えた吸収性物品に関する。
【背景技術】
【０００２】
使用者や介助者の憂鬱感や嫌悪感等の精神的な負担を軽減するため、使い捨ておむつのような吸収性物品に、所定の図形及び／又は文字を施すことが知られている（特許文献１）。
【０００３】
特許文献１に記載された吸収性物品では、所定の図形及び／又は文字は、その使用前の自然状態において、隠蔽シートによって隠蔽されている。この図形及び／又は文字は、吸収性物品の伸長状態において、非使用面から認識可能になされる。
【先行技術文献】
【特許文献】
【０００４】
【特許文献１】特開２００７−２１５８０４号
【発明の概要】
【発明が解決しようとする課題】
【０００５】
特許文献１に記載された吸収性物品では、吸収性物品に施されたデザインは、吸収性物品の外側、すなわち着用者の肌と反対側に設けられている。したがって、このデザインは、吸収性物品が着用された状態においては、常に視認可能である。
【０００６】
使用者や介助者の憂鬱感や嫌悪感等の精神的な負担を軽減するための図形及び／又は文字が、着用中に常に吸収性物品の外側で視認可能な状態になっていると、吸収性物品としてのデザイン性を損なうことがある。
【０００７】
したがって、文字、記号又は図形を認識させつつも、衣類としてのデザイン性を確保できる吸収性物品が望まれる。
【課題を解決するための手段】
【０００８】
吸収性物品は、前後方向と、前後方向に直交する幅方向と、厚み方向と、前胴周り域と、後胴周り域と、前胴周り域と後胴周り域とに跨がる吸収体と、前胴周り域と後胴周り域とを止着するファスニングテープと、を有する。肌面側から見て谷折りされた谷折り部が、幅方向における吸収体の外側縁よりも外側に設けられている。吸収性物品の展開状態において、吸収性物品の肌面側に文字、記号又は図形が施されている。文字、記号又は図形は、谷折り部によって折り畳まれた状態で、吸収性物品の内部側に隠れる領域に設けられている。
【図面の簡単な説明】
【０００９】
【図１】図１は、第１実施形態に係る吸収性物品の平面図である。
【図２】図２は、図１に示した谷折り部で折り畳まれた吸収性物品の平面図である。
【図３】図３は、第２実施形態に係る吸収性物品の平面図である。
【図４】図４は、図３に示したＦ１−Ｆ１線に沿った吸収性物品の断面図である。
【図５】図５は、折り畳まれた状態のファスニングテープの拡大図である。
【図６】図６は、展開されたファスニングテープの拡大図である。
【図７】図７は、図５に示したＦ２−Ｆ２線に沿ったファスニングテープの断面図である。
【図８】図８は、図６に示したＦ３−Ｆ３線に沿ったファスニングテープの断面図である。
【図９】図９は、第３実施形態に係る展開された状態のファスニングテープの平面図である。
【図１０】図１０は、複数の吸収性物品を収容した収容体の斜視図である。
【発明を実施するための形態】
【００１０】
（１）実施形態の概要
本明細書及び添付図面の記載により、少なくとも以下の事項が明らかとなる。
【００１１】
一態様に係る吸収性物品は、前後方向と、前記前後方向に直交する幅方向と、厚み方向と、前胴周り域と、後胴周り域と、前記前胴周り域と前記後胴周り域とに跨がる吸収体と、前記前胴周り域と前記後胴周り域とを止着するファスニングテープと、を有する吸収性物品であって、肌面側から見て谷折りされた谷折り部が、前記幅方向における前記吸収体の外側縁よりも外側に設けられており、前記吸収性物品の展開状態において、前記吸収性物品の肌面側に文字、記号又は図形が施されており、前記文字、記号又は図形は、前記谷折り部によって折り畳まれた状態で、前記吸収性物品の内部側に隠れる領域に設けられている。
【００１２】
本態様に係る吸収性物品では、吸収性物品に施された文字、記号又は図形は、谷折り部によって折り畳まれた状態で、吸収性物品の内部側に隠れる領域に設けられている。そのため、吸収性物品の装着前には、文字、記号又は図形は視認し難い状態になっている。
【００１３】
また、親や介助者のような補助者が吸収性物品を展開すると、文字、記号又は図形が視認可能となる。すなわち、吸収性物品の着用動作によって、文字、記号又は図形が視認できる。敢えて初めに視認し難くされていた文字、記号又は図形が、突然に視認可能になることで、親や介助者のような補助者に驚きや喜びを与え易い。
【００１４】
さらに、文字、記号又は図形は、吸収性物品の肌面側に施されている。そのため、吸収性物品を装着した状態では、文字、記号又は図形は、視認し難い状態になる。
【００１５】
したがって、文字、記号又は図形は、吸収性物品の着用動作中に視認可能になるものの、吸収性物品の着用中には視認し難くなる。これにより、吸収性物品の着用中には、吸収性物品としてのデザイン性を確保できる。
【００１６】
好ましい一態様によれば、前記谷折り部は、前記ファスニングテープを通っている。
【００１７】
ファスニングテープは、着用動作中に、親や介助者のような補助者に掴まれる箇所である。そのため、ファスニングテープを通る谷折り部付近は、補助者が注視する領域である。文字、記号又は図形がこの領域に隠されているので、当該谷折り部で展開したときに、補助者は、文字、記号又は図形を認識し易い。
【００１８】
好ましい一態様によれば、前記ファスニングテープは、前記谷折り部によって折り畳まれており、前記文字、記号又は図形は、前記ファスニングテープに設けられている。
【００１９】
ファスニングテープは、着用動作中に、親や介助者のような補助者に掴まれる箇所である。着用動作中において折り畳まれたファスニングテープを展開したときに、文字、記号又は図形が視認可能となるので、補助者は、文字、記号又は図形をより認識し易い。
【００２０】
好ましい一態様によれば、前記前胴周り域又は前記後胴周り域は、前記谷折り部によって折り畳まれた状態の前記ファスニングテープの少なくとも一部を収容するシート部材を有し、前記ファスニングテープが前記谷折り部によって折り畳まれた状態で、前記ファスニングテープの、前記文字、記号又は図形が施された領域は、前記シート部材によって覆われている。
【００２１】
文字、記号又は図形は、ファスニングテープが折り畳まれた状態でシートによって覆われているため、吸収性物品の装着動作前に、文字、記号又は図形をより視認し難くすることができる。
【００２２】
好ましい一態様によれば、前記ファスニングテープは、肌面側から見て山折りされ、前記谷折り部から前記幅方向にずれて設けられた山折り部をさらに有し、前記ファスニングテープが前記谷折り部と前記山折り部とで折り畳まれた状態で、前記ファスニングテープの自由端部は前記幅方向の外側に向かって延びている。
【００２３】
谷折り部と山折り部とで折り畳まれた状態のファスニングの自由端部が幅方向の外側に向かって延びているため、補助者は、ファスニングの自由端部を掴んで幅方向の外側に引っ張るだけで、容易にファスニングテープを展開することができる。さらに、このように展開する動作でファスニングテープに施された文字、記号又は図形が視認可能になるため、補助者は、文字、記号又は図形をより認識し易い。
【００２４】
好ましい一態様によれば、前記ファスニングテープを展開した状態で、前記谷折り部は、前記幅方向において前記山折り部よりも外側に設けられている。
【００２５】
これにより、ファスニングテープが谷折り部及び山折り部で折り畳まれた状態においてファスニングテープの内部側に隠れる領域は、展開状態において、山折り部よりも外側に位置することになる。したがって、ファスニングテープの内部側に隠れる領域に設けられた文字、記号又は図形は、ファスニングテープを展開する動作によって、幅方向のより外側へ移動する。よって、補助者は、着用動作中に、文字、記号又は図形をより視認し易くなる。
【００２６】
好ましい一態様によれば、前記ファスニングテープは、基材と、前記基材上に設けられたフック材と、を有し、前記文字、記号又は図形は、前記基材と前記フック材との間に設けられている。
【００２７】
文字、記号又は図形が基材とフック材との間に設けられているため、文字、記号又は図形を構成する材料、すなわちインクが、着用者や補助者の肌に直接付着することを抑制することができる。これにより、着用者や補助者の肌に与える影響を抑制することができる。
【００２８】
好ましい一態様によれば、前記吸収性物品は、一対の前記ファスニングテープを有し、一方の前記ファスニングテープに設けられた前記文字、記号又は図形は、他方の前記ファスニングテープに設けられた前記文字、記号又は図形とは異なる。
【００２９】
これにより、文字、記号又は図形のデザイン性を向上させることができる。また、補助者に対して、異なる２つの行動的作用又は心理的作用を与えることができる。
【００３０】
好ましい一態様によれば、前記文字、記号又は図形の少なくとも一部は、前記谷折り部よりも前記幅方向における外側に位置する。
【００３１】
例えば、床に敷いた吸収性物品の上に着用者を寝かせた状態で吸収性物品を取り付けようとする場合、補助者は、幅方向における外側の領域の方が視認し易い。谷折り部よりも幅方向における外側の領域は、吸収性物品の構成要素を展開したときに、幅方向の外側に延びる領域である。したがって、文字、記号又は図形の少なくとも一部が谷折り部よりも幅方向における外側に位置することで、補助者は、着用動作中に、文字、記号又は図形をより視認し易くなる。
【００３２】
好ましい一態様によれば、前記文字、記号又は図形は、前記谷折り部を挟んで両側に設けられている。
【００３３】
文字、記号又は図形を施すことができる領域が広くなるため、様々なデザインを設けることができる。
【００３４】
好ましい一態様によれば、前記幅方向の外側における前記文字、記号又は図形の縁から前記谷折り部までの距離は、前記幅方向の内側における前記文字、記号又は図形の縁から前記谷折り部までの距離よりも長い。
【００３５】
文字、記号又は図形が、展開状態において谷折り部よりも幅方向の外側へ長く形成されるため、補助者は、着用動作中に、文字、記号又は図形をより視認し易くなる。
【００３６】
好ましい一態様によれば、前記幅方向の外側における前記文字、記号又は図形の縁から前記谷折り部までの距離は、前記幅方向の内側における前記文字、記号又は図形の縁から前記谷折り部までの距離よりも短い。
【００３７】
文字、記号又は図形が、展開状態において谷折り部よりも幅方向の外側へ短く形成されるため、補助者は、着用動作中に、文字、記号又は図形を直接触れ難なる。これにより、補助者の肌に与える影響を抑制することができる。
【００３８】
好ましい一態様によれば、前記文字、記号又は図形は、前記吸収性物品の装着動作を行う補助者に行動的作用又は心理的作用を促す表示によって構成されている。
【００３９】
これにより、補助者に対して、吸収性物品の装着動作中に、介助者のケアのような行動的作用、又は満足感や達成感のような心理的作用を与えることができる。
【００４０】
一態様に係る吸収性物品の収容体は、複数の吸収性物品と、前記複数の吸収性物品を収容するパッケージと、を含む吸収性物品の収容体であって、前記パッケージ内に収容された複数の吸収性物品のうちの一部の吸収性物品のみが、前述した文字、記号又は図形を含む吸収性物品である。
【００４１】
本態様によれば、パッケージ内に収容された複数の吸収性物品のうちの一部の吸収性物品のみが、前述した文字、記号又は図形を有する。補助者又は使用者が、吸収性物品を展開したときに文字、記号又は図形を発見すると、稀少性の高い吸収性物品を選んだという満足感を得ることができる。これにより、補助者又は使用者の購買意欲を高めることができる。
【００４２】
以下、実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００４３】
（２）第１実施形態
図１は、第１実施形態に係る吸収性物品の平面図である。図２は、図１に示した谷折り部で折り畳まれた吸収性物品の平面図である。吸収性物品１０は、例えば、使い捨ておむつであってよい。本実施形態に係る吸収性物品１０は、特に親や介助者のような補助者が乳幼児や要介助者に装着させるものであることが好ましい。
【００４４】
吸収性物品１０は、前胴周り域Ｓ１と、股下域Ｓ２と、後胴周り域Ｓ３とを有する。前胴周り域Ｓ１は、着用者の前胴周り部（腹部分）と接する部分である。また、後胴周り域Ｓ３、着用者の後胴周り部（背部分）と接する部分である。股下域Ｓ２は、前胴周り域Ｓ１と後胴周り域Ｓ３との間に位置する。
【００４５】
吸収性物品１０は、前後方向Ｌ及び幅方向Ｗを有する。前後方向Ｌは、前胴周り域Ｓ１から後胴周り域Ｓ３に向かう方向、又は後胴周り域Ｓ３から前胴周り域Ｓ１に向かう方向である。幅方向Ｗは、前後方向Ｌに直交する方向である。厚み方向は、吸収性物品１０の肌面側から非肌面側に向かう方向、又は非肌面側から肌面側に向かう方向である。
【００４６】
吸収性物品１０は、表面シートと、裏面シートと、吸収体４０と、を有していてよい。表面シートは、吸収性物品の肌面側に位置し、液透過性を有していてよい。裏面シートは、吸収性物品の非肌面側に位置し、不透液性を有していてよい。
【００４７】
吸収体４０は、着用者の体液を吸収する材料を含む。吸収体４０は、表面シートと裏面シートとの間に設けられている。吸収体４０は、前胴周り域Ｓ１と後胴周り域Ｓ３とに跨がっている。
【００４８】
吸収性物品１０は、前胴周り域Ｓ１と後胴周り域Ｓ３とを止着する一対のファスニングテープ９０を有していてよい。ファスニングテープ９０は、幅方向Ｗにおける後胴周り域Ｓ３の両側に設けられていてよい。ファスニングテープ９０は、吸収性物品１０の装着時に、前胴周り域Ｓ１と後胴周り域Ｓ３とを止着する。具体的には、後胴周り域Ｓ３に設けられたファスニングテープ９０を前胴周り域Ｓ１に止着することによって、吸収性物品１０が着用者の身体に保持される。
【００４９】
吸収性物品１０は、使用前における包装時に折り畳まれている。本実施形態では、吸収性物品１０の肌面側から見て谷折りされた谷折り部Ｆ１が、幅方向Ｗにおける吸収体４０の外側縁よりも外側に設けられている。谷折り部Ｆ１は、前後方向Ｌに沿って延びており、後胴周り域Ｓ３を通っていてよい。なお、図２は、一対の谷折り部Ｆ１において、吸収性物品１０の一部分を折り畳んだ状態を示している。図１及び図２に示す態様の代わりに、谷折り部Ｆ１は、ファスニングテープ９０を通っていてもよい。
【００５０】
なお、吸収性物品１０は、谷折り部Ｆ１の他に、例えば股下域Ｓ２において幅方向Ｗに沿って延びる不図示の折り畳み線を有していてもよい。
【００５１】
吸収性物品１０の展開状態において、吸収性物品１０の肌面側に文字、記号又は図形８０が施されていてよい。図１に示す例では、乳幼児又は動物の図形が施されているが、これに限定されず、種々の文字、記号又は図形８０が施されていてよい。文字、記号又は図形８０は、吸収体４０よりも肌面側に位置するシート、例えば表面シートに設けられていてよい。
【００５２】
文字、記号又は図形８０は、谷折り部ＦＬ１によって折り畳まれた状態で、吸収性物品１０の内部側に隠れる領域に設けられている。そのため、吸収性物品１０の装着前には、文字、記号又は図形８０は視認し難い状態になっている。
【００５３】
また、親や介助者のような補助者が吸収性物品を展開すると、文字、記号又は図形８０が視認可能となる。すなわち、吸収性物品の着用動作によって、文字、記号又は図形８０が視認できる。敢えて初めに視認し難くされていた文字、記号又は図形８０が、突然に視認可能になることで、親や介助者のような補助者に驚きや喜びを与え易い。
【００５４】
さらに、文字、記号又は図形８０は、吸収性物品の肌面側に施されている。そのため、吸収性物品１０を装着した状態では、文字、記号又は図形８０は、視認し難い状態になる。
【００５５】
したがって、文字、記号又は図形８０は、吸収性物品１０の着用動作中に視認可能になるものの、吸収性物品１０の着用中には視認し難くなる。これにより、吸収性物品１０の着用中には、吸収性物品１０としてのデザイン性を確保できる。
【００５６】
文字、記号又は図形８０は、吸収性物品１０の装着動作を行う補助者に行動的作用又は心理的作用を促す表示によって構成されていることが好ましい。行動的作用を促す表示は、例えば、「撫でて」や「くすぐって」のような文字や、そのような行為を促すことができる記号又は図形等であってよい。心理的作用を促す表示は、例えば「ありがとう」のような文字や乳幼児の笑顔のような図形等であってよい。
【００５７】
これにより、補助者に対して、吸収性物品１０の装着動作中に、介助者のケアのような行動的作用、又は満足感や達成感のような心理的作用を与えることができる。
【００５８】
文字、記号又は図形８０は、幅方向Ｗにおける後胴周り域Ｓ３の両側に設けられていてよい。この場合、一方の文字、記号又は図形８０は、他方の文字、記号又は図形８０と異なっていてよい。これにより、文字、記号又は図形８０のデザイン性を向上させることができる。また、補助者に対して、異なる２つの行動的作用又は心理的作用を与えることができる。
【００５９】
文字、記号又は図形８０の少なくとも一部は、谷折り部ＦＬ１よりも幅方向にＷおける外側に位置していることが好ましい。例えば、床に敷いた吸収性物品１０の上に着用者を寝かせた状態で吸収性物品１０を取り付けようとする場合、補助者は、幅方向Ｗにおける外側の領域の方を視認し易い。谷折り部ＦＬ１よりも幅方向Ｗにおける外側の領域は、吸収性物品１０の構成要素を展開したときに、幅方向Ｗの外側に延びる領域である。したがって、文字、記号又は図形８０の少なくとも一部が谷折り部ＦＬ１よりも幅方向Ｗにおける外側に位置することで、補助者は、着用動作中に、文字、記号又は図形８０をより視認し易くなる。
【００６０】
また、文字、記号又は図形８０は、谷折り部ＦＬ１を挟んで両側に設けられていてよい。これにより、文字、記号又は図形８０を施すことができる領域が広くなるため、様々なデザインの文字、記号又は図形を設けることができる。
【００６１】
（３）第２実施形態
図３は、第２実施形態に係る吸収性物品の平面図である。図４は、図３に示したＦ１−Ｆ１線に沿った吸収性物品の断面図である。図５は、折り畳まれた状態のファスニングテープの拡大図である。図６は、展開されたファスニングテープの拡大図である。図７は、図５に示したＦ２−Ｆ２線に沿ったファスニングテープの断面図である。図８は、図６に示したＦ３−Ｆ３線に沿ったファスニングテープの断面図である。
【００６２】
以下、第１実施形態と同様の構成については、同じ符号を付し、その説明を省略することがあることに留意されたい。
【００６３】
吸収性物品１０は、表面シート５０と、裏面シート６２と、吸収体４０と、を有していてよい。表面シート５０は、吸収性物品１０の肌面側に位置し、吸収体４０を覆っている。裏面シート６２は、吸収性物品１０の非肌面側に位置し、不透液性を有していてよい。また、裏面シート６２の非肌面側には、外装シート６０が設けられていてもよい。
【００６４】
吸収体４０は、着用者の体液を吸収する材料を含む。吸収体４０は、表面シート５０と裏面シート６２との間に設けられている。吸収体４０は、着用者の体液を吸収する吸収コア４０ａと、吸収コア４０ａを包むコアラップ４０ｂとを有していてよい。
【００６５】
幅方向における吸収体４０の端部から吸収体４０の外側にわたって、サイドシート７０が設けられていてよい。サイドシート７０は、前胴周り域Ｓ１、股下域Ｓ２及び後胴周り域Ｓ３にわたって前後方向Ｌに延びていてよい。サイドシート７０は、１枚または２枚以上の複数枚重ねた不織布によって構成されていてよい。
【００６６】
本実施形態では、吸収性物品１０の肌面側から見て谷折りされた谷折り部Ｆ１は、ファスニングテープ９０を通っている。より具体的には、ファスニングテープ９０が、谷折り部ＦＬ１によって展開可能に折り畳まれている。この場合、文字、記号又は図形８０は、ファスニングテープ９０に設けられていてよい。より具体的には、文字、記号又は図形８０は、展開状態におけるファスニングテープ９０の肌面側に設けられていてよい。文字、記号又は図形８０は、第１実施形態で説明したように、吸収性物品１０の装着動作を行う補助者に行動的作用又は心理的作用を促す表示によって構成されていてよい。
【００６７】
ファスニングテープ９０は、着用動作中に、親や介助者のような補助者に掴まれる箇所である。そのため、ファスニングテープ９０を通る谷折り部ＦＬ１付近は、補助者が注視する領域である。文字、記号又は図形８０がこの領域に隠されているので、谷折り部ＦＬ１で展開したときに、補助者は、文字、記号又は図形８０を認識し易い。特に、文字、記号又は図形８０がファスニングテープ９０に設けられていることで、折り畳まれたファスニングテープを展開する動作により文字、記号又は図形８０が視認可能となる。したがって、補助者は、着用動作中に、視認し難かった文字、記号又は図形８０が突然視認可能となり、一層の驚きや喜びを感じることができる。
【００６８】
文字、記号又は図形８０は一対のファスニングテープ９０のそれぞれに設けられており、一方のファスニングテープ９０に設けられた文字、記号又は図形８０は、他方のファスニングテープ９０に設けられた文字、記号又は図形８０とは異なっていてもよい。
【００６９】
ファスニングテープ９０は、後胴周り域Ｓ３に固定された基材９１と、基材９１上に設けられ、前胴周り域Ｓ１と係合可能なフック材９２と、を有していてよい。フック材９２の一面（係合面）には、前胴周り域Ｓ１に係合可能な多数のフックが設けられていてよい。
【００７０】
ファスニングテープ９０は、肌面側から見て山折りにされた山折り部ＦＬ２をさらに有することが好ましい。したがって、山折り部ＦＬ２は、谷折り部ＦＬ１から幅方向Ｗにずれて設けられている。より好ましくは、ファスニングテープ９０を展開した状態で、谷折り部ＦＬ１は、幅方向Ｗにおいて山折り部ＦＬ２よりも外側に設けられている。この場合、ファスニングテープ９０は、谷折り部ＦＬ１及び山折り部ＦＬ２で折り畳まれた状態で、３つ折りにされた状態になる。この場合、ファスニングテープ９０が折り畳まれた状態で、ファスニングテープ９０の自由端部９３は幅方向Ｗの外側に向かって延びている。ファスニングテープ９０の自由端部９３とは反対側の固定端部９４は、後胴周り域Ｓ３に存在するシート、例えば表面シート５０及び／又は外装シート６０に固定されていてよい。
【００７１】
谷折り部ＦＬ１と山折り部ＦＬ２とで折り畳まれた状態のファスニングテープ９０の自由端部９３が幅方向Ｗの外側に向かって延びているため、補助者は、ファスニングテープ９０の自由端部９３を掴んで幅方向の外側に引っ張るだけで、容易にファスニングテープ９０を展開することができる。さらに、このように展開する動作でファスニングテープ９０に施された文字、記号又は図形８０が視認可能になるため、補助者は、文字、記号又は図形８０をより認識し易くなる。
【００７２】
さらに、ファスニングテープ９０を展開した状態で、谷折り部ＦＬ１は、幅方向Ｗにおいて山折り部ＦＬ２よりも外側に設けられているため、ファスニングテープ９０が谷折り部ＦＬ１及び山折り部ＦＬ２で折り畳まれた状態でファスニングテープ９０の内部側に隠れる領域は、展開状態において、山折り部ＦＬ２よりも外側に位置する。したがって、ファスニングテープ９０の内部側に隠れる領域に設けられた文字、記号又は図形８０は、ファスニングテープ９０を展開する動作によって、幅方向Ｗのより外側へ移動する。よって、補助者は、着用動作中に、文字、記号又は図形８０をより視認し易くなる。
【００７３】
ファスニングテープ９０が折り畳まれた状態で、フック材９２の一部は、折り畳まれて互いに重なった面内で、フック材９２の別の部分と向かい合っていてよい。すなわち、フック材９２は、谷折り部ＦＬ１を挟んで両側に設けられていてよい。この場合、ファスニングテープ９０が折り畳まれた状態で、フック材９２どうしが向かい合うため、フック材９２が吸収性物品１０を構成する不織布に意図せず付着してしまうことを抑制することができる。
【００７４】
前胴周り域Ｓ１又は後胴周り域Ｓ３は、谷折り部ＦＬ１によって折り畳まれた状態のファスニングテープ９０の少なくとも一部を収容する収容部７２を有することが好ましい。収容部７２は、前述したサイドシート７０や外装シート６０のようなシート部材によって構成されていてよい。この場合、当該シート部材、図示された例ではサイドシート７０は、文字、記号又は図形８０が施された領域を覆っている。
【００７５】
文字、記号又は図形８０は、ファスニングテープ９０が折り畳まれた状態でサイドシート７０によって覆われているため、吸収性物品１０の装着動作前に、文字、記号又は図形８０をより視認し難くすることができる。これにより、介助者は、ファスニングテープ９０を展開することによって文字、記号又は図形８０を視認したときに、より驚きや喜びを感じるようになる。したがって、介助者のような消費者に対する購買欲を増大させることができる。
【００７６】
前述したように、折り畳まれたファスニングテープ９０が収容部７２に収容される場合、ファスニングテープ９０の自由端部９３は、収容部７２から外部に突出していることが好ましい。吸収性物品１０を要介助者に着用させる場合、まず、吸収性物品を床に敷いた状態で使い吸収性物品上に要介助者を寝かせる。このとき、ファスニングテープ９０の自由端部９３が収容部７２から外部に突出していると、ファスニングテープ９０を容易に引っ張って展開することができる。
【００７７】
文字、記号又は図形８０は、基材９１とフック材９２との間に設けられていることが好ましい。したがって、文字、記号又は図形８０は、フック材９２を通して視認可能であってよい。この場合、フック材９２は、透明又は半透明であってよい。フック材９２の全光線透過率は、好ましくは６０％以上、より好ましくは８６％以上であってよい。一例として、フック材９２の全光線透過率は、８０〜９０％の範囲内であってよい。ここで、フック材９２の全光線透過率は、測定機器「NIPPON DENSHOKU 300A」にて測定することができる。この測定の際、フック材９２のフラットな面（フックが形成されていない方の面）側から光を照射する。
【００７８】
文字、記号又は図形８０が基材９１とフック材９２との間に設けられているため、文字、記号又は図形８０を構成する材料、すなわちインクが、着用者や補助者の肌に直接付着することを抑制することができる。これにより、着用者や補助者の肌に与える影響を抑制することができる。
【００７９】
文字、記号又は図形８０の少なくとも一部は、谷折り部ＦＬ１よりも幅方向Ｗにおける外側に位置することが好ましい。例えば、床に敷いた吸収性物品１０の上に着用者を寝かせた状態で吸収性物品１０を装着させようとする場合、補助者は、幅方向Ｗにおける外側の領域の方が視認し易い。谷折り部ＦＬ１よりも幅方向Ｗにおける外側の領域は、吸収性物品１０の構成要素、本例ではファスニングテープ９０を展開したときに、幅方向Ｗの外側に延びる領域である。したがって、文字、記号又は図形８０の少なくとも一部が谷折り部ＦＬ１よりも幅方向Ｗにおける外側に位置することで、補助者は、着用動作中に、文字、記号又は図形８０をより視認し易くなる。
【００８０】
好ましくは、文字、記号又は図形８０は、谷折り部ＦＬ１を挟んで両側に設けられている。これにより、文字、記号又は図形８０を施すことができる領域がより広くなるため、様々なデザインを設けることができる。
【００８１】
さらに好ましくは、ファスニングテープ９０が展開された状態において、幅方向Ｗの外側における文字、記号又は図形８０の縁から谷折り部ＦＬ１までの距離Ｌ２は、幅方向Ｗの内側における文字、記号又は図形８０の縁から谷折り部ＦＬ１までの距離Ｌ１よりも長い。
【００８２】
展開状態において、文字、記号又は図形８０の、谷折り部ＦＬ１よりも幅方向の外側へ延びた範囲が長いため、補助者は、着用動作中に、文字、記号又は図形８０をより視認し易くなる。
【００８３】
（４）第３実施形態
以下、第３実施形態に係る吸収性物品について説明する。第３実施形態に係る吸収性物品は、ファスニングテープ９０に施された文字、記号又は図形８０の配置を除き、第２実施形態に係る吸収性物品と同じである。第２実施形態に係る吸収性物品と同様の構成については、その説明を省略する。
【００８４】
図９は、第３実施形態に係る展開された状態のファスニングテープの平面図である。文字、記号又は図形８０は、谷折り部ＦＬ１を挟んで両側に設けられている。
【００８５】
ファスニングテープ９０が展開された状態において、幅方向Ｗの外側における文字、記号又は図形８０の縁から谷折り部ＦＬ１までの距離Ｌ２は、幅方向Ｗの内側における文字、記号又は図形８０の縁から谷折り部ＦＬ１までの距離Ｌ１よりも短い。
【００８６】
展開状態において、文字、記号又は図形８０の、谷折り部ＦＬ１よりも幅方向の外側へ延びた範囲が短いため、補助者は、着用動作中に、文字、記号又は図形８０を直接触れ難なる。これにより、文字、記号又は図形８０を構成するインクによって補助者の肌に与えられる影響を抑制することができる。
【００８７】
（５）吸収性物品の収容体
以下、吸収性物品１０の収容体について説明する。図１０は、複数の吸収性物品１０を収容した収容体１００の斜視図である。収容体１００は、複数の吸収性物品１０と、複数の吸収性物品を収容するパッケージ１０２と、を含む。パッケージ１０２は、複数の吸収性物品１０を収容することができれば、どのようなものであってもよい。複数の吸収性物品１０は、折り畳まれた状態でパッケージ１０２内に収容されている。
【００８８】
パッケージ１０２内に収容された複数の吸収性物品のうちの一部の吸収性物品１０のみが、前述した実施形態で説明した吸収性物品であることが好ましい。すなわち、パッケージ１０２内に収容された複数の吸収性物品のうちの一部の吸収性物品１０は、前述した文字、記号又は図形８０を含む。一方、パッケージ１０２内に収容された複数の吸収性物品のうちの他の吸収性物品は、前述した文字、記号又は図形８０を含まない。
【００８９】
前述した文字、記号又は図形８０を含む吸収性物品１０は、パッケージ１０２内に収容された吸収性物品の総数のうちの３０％以下、好ましくは２５％以下、より好ましくは２０％以下であってよい。
【００９０】
本態様によれば、パッケージ１０２内に収容された複数の吸収性物品のうちの一部の吸収性物品１０のみが、前述した文字、記号又は図形８０を有する。したがって、補助者又は使用者が、折り畳まれた吸収性物品を展開したときに文字、記号又は図形８０を発見すると、稀少性の高い吸収性物品を選んだという満足感を得ることができる。これにより、補助者又は使用者の購買意欲を高めることができる。また、吸収性物品を履かせる度に補助者に対して毎回行動的作用又は心理的作用を与えると、補助者に負担を与える可能性がある。吸収性物品は１日に約８枚程度使用されることが多いため、前述した文字、記号又は図形８０を含む吸収性物品１０がパッケージ１０２内に収容された吸収性物品の総数のうちの２０〜３０％以下である場合、補助者は１日に約１回又は２回、文字、記号又は図形８０を有する吸収性物品を見ることになる。これにより、補助者に過度の負担を与えることなく、補助者に行動的作用又は心理的作用を与えることができる。さらに、文字、記号又は図形８０を有する吸収性物品の割合を２０％以下と少なくすることで、稀少性を高めることもできる。
【００９１】
なお、使用者が乳幼児である場合、乳幼児の月齢に応じて吸収性物品の使用頻度が異なるため、文字、記号又は図形８０を有する吸収性物品の割合は、月齢に応じて異なっていてよい。もっとも、上記実施形態の代わりに、パッケージ１０２内に収容された複数の吸収性物品のすべてが、前述した文字、記号又は図形８０を有するものであってもかまわない。
【００９２】
（６）その他の態様
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９３】
１０    吸収性物品
８０    文字、図形又は記号
９０    ファスニングテープ
９１    基材
９２    フック材
９３    自由端部
９４    固定端部
ＦＬ１  谷折り部
ＦＬ２  山折り部
Ｓ１    前胴周り域
Ｓ２    股下域
Ｓ３    後胴周り域
【図１】
2019068905.tif 000003
【図２】
2019068905.tif 000004
【図３】
2019068905.tif 000005
【図４】
2019068905.tif 000006
【図５】
2019068905.tif 000007
【図６】
2019068905.tif 000008
【図７】
2019068905.tif 000009
【図８】
2019068905.tif 000010
【図９】
2019068905.tif 000011
【図１０】
2019068905.tif 000012